(57)【要約】【課題】利用者との間で取引を行っている場合であっても、消費電力を削減することができる現金自動取引装置を提供する。【解決手段】利用者から所定の取引に関する操作を受け付ける操作部と、操作部が受け付けた所定の取引を実行する複数のユニット部と、ユニット部を起動させ、またはユニット部に対する電力の供給を停止する電源部と、ユニット部が起動されて所定の取引を実行している場合において、複数のユニット部のうち所定の取引を実行するために起動が必要ではないユニット部があるか否かを判定し、所定の取引を実行するために起動が必要ではないユニット部があると判定した場合、起動が必要ではないと判定されたユニット部に対する電力の供給を停止するように電源部を制御する制御部と、を備える。【選択図】図３
2011085983.tif 000002
【特許請求の範囲】
【請求項１】
利用者との間で所定の取引を行う自動取引処理装置であって、
前記利用者から前記所定の取引に関する操作を受け付ける操作部と、
前記操作部が受け付けた前記所定の取引を実行する複数のユニット部と、
前記ユニット部を起動させ、または前記ユニット部に対する電力の供給を停止する電源部と、
前記ユニット部が起動されて前記所定の取引を実行している場合において、前記複数のユニット部のうち前記所定の取引を実行するために起動が必要ではないユニット部があるか否かを判定し、前記所定の取引を実行するために起動が必要ではないユニット部があると判定した場合、起動が必要ではないと判定された前記ユニット部に対する電力の供給を停止するように前記電源部を制御する制御部と、
を備えることを特徴とする自動取引処理装置。
【請求項２】
前記操作部は、前記複数のユニット部のそれぞれについて、前記取引に関する操作を受け付け、
前記制御部は、前記操作部が受け付けた前記取引に関する操作にしたがって、前記複数のユニット部のうち前記所定の取引を実行するために起動が必要ではないユニット部があるか否かを判定する、
ことを特徴とする請求項１に記載の自動取引処理装置。
【請求項３】
前記複数のユニット部には、少なくとも、前記利用者の通帳を受け入れまたは排出する通帳ユニット部と、硬貨の入出金を行う硬貨ユニット部と、紙幣の入出金を行う紙幣ユニット部と、前記所定の取引に関する明細票を発行する明細票ユニット部と、を含む、
ことを特徴とする請求項１または２に記載の自動取引処理装置。
【発明の詳細な説明】
【技術分野】
【０００１】
本発明は、利用者との間で所定の取引を行う現金自動取引処理装置（以下、ＡＴＭ：Automatic  Teller  Machineと呼ぶ。）に関し、特に、取引処理実行時に供給される電源の制御に関する。
【背景技術】
【０００２】
近年、ＡＴＭには消費電力を削減するために省電力モードを有するものがある。省電力モードとは、ＡＴＭが、利用者との間で所定の取引（例えば、支払や預け入れなどの取引）が行われない場合、ＡＴＭの一部分に対する電力の供給を遮断することによって消費電力を削減するものである。
【０００３】
例えば、特許文献１には、通常モードから省電力モードに移行する際に、取引終了後一定時間経過を条件とするＡＴＭが開示されている。また、特許文献２には、センサが利用者の存在を検知しない時間が一定時間経過した場合に、通常モードから省電力モードに移行するＡＴＭが開示されている。
【先行技術文献】
【特許文献】
【０００４】
【特許文献１】特開２０００−２５９８９４号公報
【特許文献２】特開２００７−３０４７４０号公報
【発明の概要】
【発明が解決しようとする課題】
【０００５】
しかしながら、上述した特許文献１、特許文献２に記載された技術は、利用者との間で取引が行われていない場合にのみ省電力効果を得ようとするものであるため、ＡＴＭが利用者との間で取引を行っている場合には省電力化されないという問題があった。
【０００６】
例えば、利用者が１０００円単位で紙幣を払い出す取引を行う場合、動作させる必要がない硬貨の払出や搬送を制御する部分にまで電力が供給され、無駄に電力を消費してしまうという問題があった。
【０００７】
本発明は、上述した課題に鑑みてなされたものであって、利用者との間で取引を行っている場合であっても、消費電力を削減することができる現金自動取引装置を提供することを目的とする。
【課題を解決するための手段】
【０００８】
上述した目的を達成するために、本発明にかかる現金自動取引装置は、利用者との間で所定の取引を行う自動取引処理装置であって、前記利用者から前記所定の取引に関する操作を受け付ける操作部と、前記操作部が受け付けた前記所定の取引を実行する複数のユニット部と、前記ユニット部を起動させ、または前記ユニット部に対する電力の供給を停止する電源部と、前記ユニット部が起動されて前記所定の取引を実行している場合において、前記複数のユニット部のうち前記所定の取引を実行するために起動が必要ではないユニット部があるか否かを判定し、前記所定の取引を実行するために起動が必要ではないユニット部があると判定した場合、起動が必要ではないと判定された前記ユニット部に対する電力の供給を停止するように前記電源部を制御する制御部と、を備えることを特徴とする。
【発明の効果】
【０００９】
本発明によれば、利用者との間で取引を行っている場合であっても、消費電力を削減することができる現金自動取引装置を提供することができる。
【図面の簡単な説明】
【００１０】
【図１】本実施形態にかかるＡＴＭの構成を示す図である。
【図２】ＡＴＭが利用者との間で支払い取引を行う場合のタイミングチャートである。
【図３】ＡＴＭが取引を行う場合の処理手順を示すフローチャートである。
【発明を実施するための形態】
【００１１】
以下に添付図面を参照して、この発明にかかる現金自動取引装置の実施の形態を詳細に説明する。
【００１２】
図１は、本実施形態にかかる現金自動取引装置（以下、ＡＴＭ：Automatic  Teller  Machineと呼ぶ。）１００の構成を示す図である。
【００１３】
ＡＴＭ１００は、利用者の操作を受け付けて現金の入金や出金等の各種の取引を行うものである。ＡＴＭ１００は、顧客操作部１０１と、カードユニット１０２と、明細票ユニット１０３と、通帳ユニット１０４と、紙幣ユニット１０５と、硬貨ユニット１０６と、電源部１０７と、制御部１０８と、係員操作部１０９と、を含んで構成されている。
【００１４】
顧客操作部１０１は、例えば、タッチパネルから構成され、利用者から入金処理や出金処理、残高照会等の各種の取引の指定を受け付け、またはその指定を受け付けるための入力画面を表示する。
【００１５】
例えば、顧客操作部１０１は、利用者から明細票を発行するか否かを示す発行要否ボタンを表示し、または発行要否ボタンの押下を受け付ける。また、顧客操作部１０１は、取引対象となる金額（例えば、支払い金額）の指定を受け付ける。さらに、顧客操作部１０１は、受け付けた取引が終了した場合に、取引が終了した旨を示す取引終了画面を表示する。
【００１６】
カードユニット１０２は、利用者が所持するキャッシュカード等の磁気カードあるいはＩＣカードの挿入や排出を行う。また、カードユニット１０２は、磁気カードの磁気ストライプあるいはＩＣカードに含まれるＩＣチップに対する読み書き、又は磁気カードあるいはＩＣカードのエンボス部分のイメージの読取り等を行う。
【００１７】
なお、カードユニット１０２は、磁気カードあるいはＩＣカードが所定の時間のあいだに挿入されたか否かを判定し、磁気カードあるいはＩＣカードが所定の時間のあいだに挿入されていないと判定した場合、磁気カードあるいはＩＣカードが挿入されるまで待機している。
【００１８】
なお、以下の説明では、カードユニット１０２は、他のユニットのように、受け入れ信号を制御部１０８に出力しないように設定されている。その理由は、通常は利用者がＡＴＭ１００との間で取引を行う場合、キャッシュカード等のＩＣカードの挿入が必須であるためである。ここで、停止受け入れ信号とは、後述する制御部１０８に対して出力されるＡＴＭ１００の各部から電力の供給の停止が可能な旨の信号のことである。
【００１９】
明細票ユニット１０３は、印字部（不図示）によって取引内容が明細票に印字された場合に、印字された明細票を外部に排出する。また、明細票ユニット１０３は、顧客操作部１０１が、明細票の発行が不要である旨を受け付けた場合に、停止受け入れ信号を制御部１０８に出力する。
【００２０】
通帳ユニット１０４は、利用者が所持する通帳の挿入を受け入れたり、あるいは挿入された通帳を排出する。また、通帳ユニット１０４は、挿入された通帳の磁気ストライプ部分の読み取り等を行う。さらに、通帳ユニット１０４は、顧客操作部１０１が受け付けた取引の指定に従って実行された取引の結果等が印字部（不図示）によって印字された場合に、印字された通帳を外部に排出する。
【００２１】
なお、通帳ユニット１０４は、通帳が所定の時間のあいだに挿入されたか否かを判定し、通帳が所定の時間のあいだに挿入されていないと判定した場合、停止受け入れ信号を制御部１０８に出力する。
【００２２】
紙幣ユニット１０５は、利用者から紙幣の入金を受け付けた場合に、受け付けた紙幣を鑑別し、その後、鑑別された後の紙幣を紙幣収納庫（不図示）に搬送する。また、紙幣ユニット１０５は、利用者から紙幣の出金を受け付けた場合に、紙幣収納庫（不図示）に収納された紙幣を鑑別し、その後、鑑別された後の紙幣を外部に排出する。
【００２３】
紙幣ユニット１０５は、顧客操作部１０１が受け付けた金額（例えば、支払い金額）にしたがって、紙幣の払い出しが必要であるか否かを判定し、紙幣の払い出しが必要ではないと判定した場合、停止受け入れ信号を制御部１０８に出力する。
【００２４】
硬貨ユニット１０６は、利用者から硬貨の入金を受け付けた場合に、受け付けた硬貨を鑑別し、その後、鑑別された後の硬貨を硬貨収納庫（不図示）に搬送する。また、硬貨ユニット１０６は、利用者から硬貨の出金を受け付けた場合に、硬貨収納庫（不図示）に収納された硬貨を鑑別し、その後、鑑別された後の硬貨を外部に排出する。
【００２５】
硬貨ユニット１０６は、顧客操作部１０１が受け付けた金額（例えば、支払い金額）にしたがって、硬貨の払い出しが必要であるか否かを判定し、硬貨の払い出しが必要ではないと判定した場合、停止受け入れ信号を制御部１０８に出力する。
【００２６】
電源部１０７は、外部から不図示の電源コードを介して供給される電力をＡＣ／ＤＣ変換し、変換された電力をＡＴＭ１００の各部に電力を供給する主電源である。
【００２７】
電源部１０７は、顧客操作部１０１が、利用者から取引の指定を受け付けた場合に、ＡＴＭ１００の各ユニットの電源に対して電力を供給する。
【００２８】
また、電源部１０７は、後述する制御部１０８がＡＴＭ１００の各部から停止受け入れ信号を受け取った場合であって、停止受け入れ信号を受け取った各部の電力の供給を停止させる旨の信号（以下、停止信号と呼ぶ。）を出力した場合に、その停止信号に従って、ＡＴＭ１００の各部に対する電力の供給を停止する。
【００２９】
制御部１０８は、ＣＰＵ（Central  Processing  Unit）等のプロセッサから構成され、上述したＡＴＭ１００の各部の動作を制御する。
【００３０】
制御部１０８は、ＡＴＭ１００の各部から上述した停止受け入れ信号を受け取ったか否かを判定し、停止受け入れ信号を受け取った場合、その停止受け入れ信号を受け取った各部に対する停止信号を電源部１０７に出力する。
【００３１】
係員操作部１０９は、顧客操作部１０１とは別に、ＡＴＭ１００の管理者や係員が主として、ＡＴＭ１００のメンテナンス用に使用する画面であり、管理者等は、この係員操作部１０９を操作して、例えば、ＡＴＭ１００の内部の収納庫（不図示）に収納されている紙幣や硬貨を回収する。
【００３２】
図２は、ＡＴＭ１００が利用者との間で支払い取引を行う場合のタイミングチャートである。図２に示すように、ＡＴＭ１００は、顧客操作部１０１が支払い取引の指定を受け付けた後、カードユニット１０２が、ＩＣカードの挿入を受け付け（ａ）、その後、通帳ユニット１０３が通帳の挿入を受け付ける（ｂ）。
【００３３】
そして、顧客操作部１０１が、暗証番号や払い出し金額の入力を受け付け（ｆ）、その後、制御部１０８によって残高等の計算が行われ、通帳ユニット１０４が、その取引内容を通帳に印字し（ｂ）、明細票ユニット１０３が、残高等を記載した明細票を排出するとともに（ｃ）、紙幣ユニット１０５が紙幣を出金し（ｄ）、硬貨ユニット１０６が硬貨を出金する（ｅ）。
【００３４】
この場合、顧客操作部１０１が受け付けた払い出し金額が１０００円単位（例えば、１万５０００円）である場合、あるいは顧客操作部１０１が、明細票の発行を受け付けていない場合には、図２に示したタイミングチャートの（ｃ）、（ｅ）において、明細票ユニット１０３や硬貨ユニット１０６に電力を供給する必要はない。従って、支払い取引を実行中の場合であっても、各ユニットの動作が不要となる場合には、上述した停止受け入れ信号を各部が出力し、制御部１０８が、各ユニットから出力された停止受け入れ信号の有無を判定することによって、ユニットごとに無駄な消費電力を削減することができるようになっている。
【００３５】
すなわち、ＡＴＭ１００の各ユニットが動作不要と判定した場合に、そのタイミングで停止受け入れ信号を制御部１０８に出力し、制御部１０８が、その停止受け入れ信号を受けたユニットに対する電力の供給を停止するように電源部１０７を制御するので、取引が実行されている場合であっても、ユニットごとに無駄な消費電力を削減することができる。
【００３６】
続いて、上述したＡＴＭ１００が行う処理手順について説明する。図３は、ＡＴＭ１００が取引を行う場合の処理手順を示すフローチャートである。以下の説明では、利用者はＡＴＭ１００との間で支払い取引を実行しているものとする。
【００３７】
図３に示すように、まず、顧客操作部１０１が、利用者から取引の指定を受け付けると(ステップＳ３０１)、電源部１０７は、ＡＴＭ１００の各ユニットの電源に対して電力を供給する（ステップＳ３０２）。
【００３８】
その後、カードユニット１０２は、ＩＣカードが挿入されたか否かを判定し（ステップＳ３０３）、ＩＣカードが挿入されていないと判定した場合（ステップＳ３０３；Ｎｏ）、そのまま待機する。
【００３９】
一方、カードユニット１０２が、ＩＣカードが挿入されたと判定した場合（ステップＳ３０３；Ｙｅｓ）、通帳ユニット１０４は、通帳が挿入されたか否かを判定する（ステップＳ３０４）。そして、通帳ユニット１０４が、通帳が挿入されたと判定した場合（ステップＳ３０４；Ｙｅｓ）、顧客操作部１０１は、暗証番号および支払い金額の入力を受け付ける（ステップＳ３０５）。
【００４０】
一方、通帳ユニット１０４が、通帳が挿入されていないと判定した場合（ステップＳ３０４；Ｎｏ）、通帳ユニット１０４は、停止受け入れ信号を出力し（ステップＳ３０６）、その後、制御部１０８は、その停止受け入れ信号に従って、電源部１０７に対して、停止受け入れ信号を受け取った通帳ユニット１０４に対する停止信号を出力し、電源部１０７は、通帳ユニット１０４に対する電力の供給を停止させ（ステップＳ３０７）、ステップＳ３０５に進む。
【００４１】
そして、ステップＳ３０５の処理が終了すると、紙幣ユニット１０５は、顧客操作部１０１が受け付けた支払い金額を払い出すために紙幣が必要であるか否かを判定し（ステップＳ３０８）、支払い金額を払い出すために紙幣が必要であると判定した場合（ステップＳ３０８；Ｙｅｓ）、ステップＳ３１１に進む。
【００４２】
一方、紙幣ユニット１０５は、支払い金額を払い出すために紙幣が必要でないと判定した場合（ステップＳ３０８；Ｎｏ）、ステップＳ３０７の場合と同様に、停止受け入れ信号を出力し（ステップＳ３０９）、その後、制御部１０８は、その停止受け入れ信号に従って、電源部１０７に対して、停止受け入れ信号を受け取った紙幣ユニット１０５に対する停止信号を出力し、電源部１０７は、紙幣ユニット１０５に対する電力の供給を停止させ（ステップＳ３０７）、ステップＳ３１１に進む。
【００４３】
ステップＳ３０８またはステップＳ３１０の処理が終了すると、硬貨ユニット１０６は、顧客操作部１０１が受け付けた支払い金額を払い出すために硬貨が必要であるか否かを判定し（ステップＳ３１１）、支払い金額を払い出すために硬貨が必要であると判定した場合（ステップＳ３１１；Ｙｅｓ）、ステップＳ３１４に進む。
【００４４】
一方、硬貨ユニット１０６は、支払い金額を払い出すために硬貨が必要でないと判定した場合（ステップＳ３１１；Ｎｏ）、ステップＳ３０７、ステップＳ３０９の場合と同様に、停止受け入れ信号を出力し（ステップＳ３１２）、その後、制御部１０８は、その停止受け入れ信号に従って、電源部１０７に対して、停止受け入れ信号を受け取った硬貨ユニット１０６に対する停止信号を出力し、電源部１０７は、硬貨ユニット１０６に対する電力の供給を停止させ（ステップＳ３１３）、ステップＳ３１４に進む。
【００４５】
そして、明細票ユニット１０３は、顧客操作部１０１に表示された発行要否ボタンが押下され明細票の発行が必要であるか否かを判定し（ステップＳ３１４）、明細票の発行が必要であると判定した場合（ステップＳ３１４；Ｙｅｓ）、ステップＳ３１５に進む。
【００４６】
一方、明細票ユニット１０３は、明細票の発行が必要ではないと判定した場合（ステップＳ３１４；Ｎｏ）、ステップＳ３０７、ステップＳ３０９、ステップＳ３１１の場合と同様に、停止受け入れ信号を出力し（ステップＳ３１６）、その後、制御部１０８は、その停止受け入れ信号に従って、電源部１０７に対して、停止受け入れ信号を受け取った明細票ユニット１０３に対する停止信号を出力し、電源部１０７は、明細票ユニット１０３に対する電力の供給を停止させ（ステップＳ３１７）、ステップＳ３１５に進む。
【００４７】
その後、電力の供給が停止されていない各ユニットが動作して、ＩＣカードや通帳、あるいは明細票を排出するとともに、紙幣や硬貨を出金し（ステップＳ３１５）、その後、顧客操作部１０１は、取引終了画面を表示する（ステップＳ３１６）。このステップＳ３１６の処理が終了すると、本実施の形態におけるすべての処理が終了する。
【００４８】
このように、利用者との間で所定の取引を行うＡＴＭ１００において、顧客操作部１０１が、利用者から所定の取引に関する操作を受け付け、複数のユニット部（紙幣ユニット１０５等）が、顧客操作部１０１が受け付けた所定の取引を実行し、電源部１０７が、これらのユニット部を起動させ、またはこれらのユニット部に対する電力の供給を停止し、制御部１０８が、これらのユニット部が起動されて所定の取引を実行している場合において、複数のユニット部のうち所定の取引を実行するために起動が必要ではないユニット部があるか否かを判定し、所定の取引を実行するために起動が必要ではないユニット部があると判定した場合、起動が必要ではないと判定されたユニット部に対する電力の供給を停止するように電源部１０７を制御するので、利用者との間で取引を行っている場合であっても、消費電力を削減することができる。
【００４９】
なお、上述した実施の形態においては、利用者が支払い取引を行った場合について説明している。しかし、このような支払い取引に限られず、例えば、利用者が硬貨のみを入金する場合、制御部１０８は、入金処理を実行中であっても、電源部１０７に対して紙幣ユニット１０５に対する電力の供給を停止させるように電源部１０７を制御するなど、上述した支払い取引以外の取引を行う場合にも適用可能である。さらに、上述した実施の形態においては、利用者がＡＴＭを利用して取引を行った場合について説明しているが、両替機等の種々の取引装置にも適用することができる。
【００５０】
本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００５１】
１００…現金自動取引装置（ＡＴＭ）、１０１…顧客操作部、１０２…カードユニット、１０３…明細票ユニット、１０４…通帳ユニット、１０５…紙幣ユニット、１０６…硬貨ユニット、１０７…電源部、１０８…制御部、１０９…係員操作部。
【図１】
2011085983.tif 000003
【図２】
2011085983.tif 000004
【図３】
2011085983.tif 000005